(57)【要約】【課題】グリース供給装置を改良することにより、水没状態であっても内部への水の浸入を防止できる回転電機を提供する。【解決手段】回転電機本体１１の外部に設けられ、内部の潤滑部１８にグリースを供給するグリース供給装置２５を備えた回転電機であって、グリース供給装置２５は、内端部が潤滑部１８に通じるグリースパイプ２６を有する。このグリースパイプ２６の外端部には、貫通路２７ａを有するソケット２７が連結される。このソケット２７には、一端が貫通路２７ａに通じる取り付け孔２８ａの他端が底面に開口する凹部空間２８ｂを有する給油口取り付け座２８が連結される。凹部空間２８ｂ内には、取り付け孔２８ａに連結されたグリースニップル２９が収容される。この凹部空間２８ｂは、パッキン３０を介して蓋体３１により液密に閉鎖される。【選択図】図１
2015213383.tif 000002
【特許請求の範囲】
【請求項１】
回転電機本体の外部に設けられ、前記回転電機本体内部の潤滑部にグリースを供給するグリース供給装置を備えた回転電機であって、
前記グリース供給装置は、
前記回転電機本体の内外に通じ、内端部は前記潤滑部に通じるグリースパイプと、
このグリースパイプの外端部に連結され、一端がこのグリースパイプに通じる貫通路を有するソケットと、
このソケットに連結され、一端が前記貫通路の他端に通じる取り付け孔を有し、この取り付け孔の他端が底面に開口する凹部空間が形成された給油口取り付け座と、
前記取り付け孔の他端開口に連結され、前記凹部空間内に収容されるグリースニップルと、
このグリースニップルを収容した前記凹部空間を、パッキンを介して液密に閉鎖する蓋体と、
を備えたことを特徴とする回転電機。
【発明の詳細な説明】
【技術分野】
【０００１】
本発明の実施形態は、グリース供給装置を改良した回転電機に関する。
【背景技術】
【０００２】
発電機や電動機などの回転電機では、回転電機本体内部に軸受のような潤滑を要する部分（以下、潤滑部と呼ぶ）が設けられている。また、流水などを扱う機器に連結された回転電機では、回転電機本体内部に水が浸入しないように、外部に対して内部を密封した構造のものがある。このような構造の回転電機であっても、内部の潤滑部に定期的にグリースを供給する必要があり、回転電機本体の外部に設けられ、内部の潤滑部に通じるグリース供給装置からグリースを供給している。この場合、回転電機本体外部のグリース供給装置に設けられたグリースニップルにグリース供給器具を連結し、このグリース供給器具によりグリースニップルを介してグリースを圧入する（例えば、特許文献１参照）。
【０００３】
上述したグリースニップルは、周知のように所謂逆止弁構造を有するもので、グリース供給器具が連結されてグリースが圧入されるとき開動作し、グリース供給器具が取り外されるとばね力により閉塞状態に復帰動作する。したがって、グリース供給器具が取り外された通常時は、外部に対して閉塞状態であるから、埃や水滴などの浸入を防止することができる。
【先行技術文献】
【特許文献】
【０００４】
【特許文献１】特開２００２−１３８９４０号公報
【発明の概要】
【発明が解決しようとする課題】
【０００５】
上述の回転電機では通常時における埃や水滴などの侵入を防止できるが、何らかの事情で回転電機が水没した場合は、周囲の水圧によりグリースニップルが開き、グリースニップル部分から回転電機内部に周囲の水が浸入することがある。このように内部に一旦水が侵入すると、水が引いた後でもこの回転電機は使用できなくなってしまう。
【０００６】
本発明が解決しようとする課題は、グリース供給装置を改良することにより、水没状態であっても内部への水の浸入を防止できる回転電機を提供することにある。
【課題を解決するための手段】
【０００７】
本発明の実施の形態に係る回転電機は、回転電機本体の外部に設けられ、前記回転電機本体内部の潤滑部にグリースを供給するグリース供給装置を備えた回転電機であって、  前記グリース供給装置は、前記回転電機本体の内外に通じ、内端部は前記潤滑部に通じるグリースパイプと、このグリースパイプの外端部に連結され、一端がこのグリースパイプに通じる貫通路を有するソケットと、このソケットに連結され、一端が前記貫通路の他端に通じる取り付け孔を有し、この取り付け孔の他端が底面に開口する凹部空間が形成された給油口取り付け座と、前記取り付け孔の他端開口に連結され、前記凹部空間内に収容されるグリースニップルと、このグリースニップルを収容した前記凹部空間を、パッキンを介して液密に閉鎖する蓋体とを備えたことを特徴とする。
【図面の簡単な説明】
【０００８】
【図１】本発明の一実施形態に係る回転電機を示す一部破断図である。
【図２】図１で示したグリース供給装置の構成を説明する図である。
【発明を実施するための形態】
【０００９】
以下、本発明の実施の形態について、図面を参照して詳細に説明する。
【００１０】
図１はこの実施の形態に係る回転電機を示している。回転電機本体１１は、円筒状のフレーム１２内に、円筒状の固定子鉄心１３が一体的に取り付けられ、この固定子鉄心１３の内周部分に、回転軸１４と一体の回転子鉄心１５が回転自在に設けられている。回転軸１４は、円筒状フレーム１２の両端面に設けられたベアリングブラケット１７をそれぞれ貫通し、これらベアリングブラケット１７に設けられたベアリング１８により回転自在に支持されている。回転軸１４には、内部ファン２０及び外部ファン２１が取り付けられ、回転軸１４の回転により、フレーム１２内／外に送風して冷却する。なお、外部ファン２１に対しては、これを包囲するファンカバー２２が設けられている。また、回転電機本体１１の図示右側上部には端子箱２３が設けられており、外部の図示しないケーブルとの接続に用いられる。
【００１１】
上述したベアリング１８などの潤滑部に対しては、回転電機本体１１の外部にグリース供給装置２５を設け、回転電機本体１１内部の潤滑部であるベアリング１８にグリースを供給する。図１では、左右のベアリング１８に対応して、グリース供給装置２５も左右２個設けている。なお、図示右側のグリース供給装置２５は、その上方に端子箱２３が位置するため、９０°図示手前側に折り曲げられている。
【００１２】
グリース供給装置２５は、図２で示すようにグリースパイプ２６、ソケット２７、給油口取り付け座２８、グリースニップル２９、及びパッキン３０を有する蓋体３１により構成される。なお、このグリース供給装置２５に対して、回転電機本体１１の下部外周には、図１で示すように、ベアリング１８からのグリースを排出するためのグリース排出口３２が設けられている。このグリース排出口も、常時はパッキン付き蓋体により閉鎖されている。
【００１３】
グリースパイプ２６は、回転電機本体１１の内外に通じるようにベアリングブラケット１７に設けられ、その内端部（図示下端部）は、潤滑部であるベアリング１８へ、給油路２６ａを介して通じている。このグリースパイプ２６の外端部（図示上端部）には、ソケット２７が、螺合構成により連結されている。このソケット２７は、一端（図示下端）がこのグリースパイプ２６に通じる貫通路２７ａを有する。
【００１４】
給油口取り付け座２８は、ソケット２７に形成された貫通路２７ａの他端（図示上端）に螺合構成により連結されている。また、この給油口取り付け座２８は、上述した貫通路２７ａの他端部に通じる取り付け孔２８ａを有する。さらに、この給油口取り付け座２８には、上述した取り付け孔２８ａが開口する底面を有する凹部空間２８ｂが形成されている。この給油口取り付け座２８の取り付け孔２８ａにはグリースニップル２９が連結され、上述した凹部空間２８ｂ内に収容される。蓋体３１は、グリースニップル２９を収容した凹部空間２８ｂの開放面（図示上面）にパッキン３０を介してねじ止めされ、グリースニップル２８を収容した凹部空間３１ｂを液密に閉鎖する。
【００１５】
上記構成において、グリース供給装置２５は、通常時、その給油口取り付け座２８の開放面がパッキン３０を介して蓋体３１により閉鎖されており、グリース供給装置２５から、回転電機本体１１の内部に埃や水分が侵入することはない。この状態で、回転電機の運転が継続し、グリース供給時期になった場合、グリース供給装置２５の蓋体３１を取り外し、凹部空間２８ｂ内のグリースニップル２９に図示しないグリース供給器具を連結し、グリースを圧入する。
【００１６】
この操作により、グリースニップル２９が押し開かれ、グリースは回転電機本体１１内の潤滑部であるベアリング１８に供給される。このとき、グリース排出口３２は蓋体を取り外して開いておくので、ベアリング１８内の古いグリースは押し出され、グリース排出口３２から回転電機本体１１外に排出される。
【００１７】
グリースの供給作業が完了したならば、グリースニップル２９からグリース供給器具を取り外し、グリース供給装置２５の給油口取り付け座２８の開放面を、パッキン３０を介して蓋体３１により閉鎖すると共に、グリース排出口３２も閉鎖し、通常の運転状態に戻す。
【００１８】
この通常の運転状態において、何らかの事情、例えば大雨により回転電機が設置された建屋内に雨水が侵入したり、津波などにより海水が浸入して、回転電機本体１１が水没することが考えられる。このような場合、従来装置では、周囲の水圧によりグリースニップル２９部分から回転電機本体１１内に浸水する可能性があった。
【００１９】
しかし、この実施の形態による回転電機は、回転電機本体１１への浸水の原因であったグリースニップル２９を給油口取り付け座２８の凹部空間２８ｂ内に収容し、凹部空間２８ｂの開放面をパッキン３０を介して蓋体３１により液密に閉鎖しているので、グリースニップル２９の周囲は、水没した回転電機本体１１周囲の水から隔離された状態となる。したがって、従来のように、グリースニップル２９部分から回転電機本体１１内に浸水することはなく、水没しても、水が引いた後は、再び回転電機を運転することが可能となった。
【００２０】
本発明の実施形態を説明したが、この実施形態は例として提示したものであり、発明の範囲を限定することは意図していない。この新規な実施形態は、その他のさまざまな形態で実施されることが可能であり、発明の要旨を逸脱しない範囲で、種々の省略、置き換え、変更を行うことができる。この実施形態やその変形は、発明の範囲や要旨に含まれると共に、特許請求の範囲に記載された発明とその均等の範囲に含まれる。
【符号の説明】
【００２１】
１１…回転電機本体
１８…ベアリング（潤滑部）
２５…グリース供給装置
２６…グリースパイプ
２６ａ…給油路
２７…ソケット
２７ａ…貫通路
２８…給油口取り付け座
２８ａ…取り付け孔
２８ｂ…凹部空間
２９…グリースニップル
３０…パッキン
３１…蓋体
【図１】
2015213383.tif 000003
【図２】
2015213383.tif 000004